(57)【要約】【解決手段】眼鏡の位置決めを強化するための方法とシステムであって、それによって使用者の快適さを改善するものであり、付加的な質量が、双方の付加された錘が眼鏡を保持できるようにしている眼鏡アームの末端から結合的に吊り下げられていて、別の実施例では、耳の表面に付加的な摩擦を提供する吊り下げ手段によるものである。【効果】使用者のあらゆる動きにおいても改善された錘のバランスによって鼻への圧力、コメカミへの圧力、その他の顔面への圧力が最小化される。【選択図】図１
2009042756.tif 000002
【特許請求の範囲】
【請求項１】
レンズフレームと、
前記フレーム中の一対のレンズと、
前記レンズフレームの反対側末端のそれぞれの第一末端で取り付けられた一対の側面アームで、前記側面アームが使用者の耳の上と傍を過ぎるように後方に、ある距離で延びているものと、
一対の錘部材とから構成されるものであって、
前記側面アームの各々の反対第二末端にその第一末端で結合されて伸びた吊り下げ部材、前記吊り下げ部材の各々の第二末端に結合されている各々の錘部材、それによって使用者の顔面上に眼鏡の重さで誘導された圧力の影響を減少させるように、使用者の顔面上で上方にフレームとレンズを旋回させるような錘部材からなることを特徴とする眼鏡システム。
【請求項２】
錘部材の各々が、約0.2オンスから約5オンスの範囲にあるものの一つである質量重量をもっている請求項１に記載の眼鏡システム。
【請求項３】
吊り下げ部材の第一末端が、吊り下げ部材が自由に動くことができるようにするスイングジョイントを備えた前記側面アームの第二末端に結合されて、それによって結合された錘部材が前記側面アームと係合している請求項１または２に記載の眼鏡システム。
【請求項４】
前記吊り下げ部材が可撓性構造部材である請求項１〜３の何れかに記載の眼鏡システム。
【請求項５】
吊り下げ部材が、紐材料、プラスティック材料、弾性材料、皮材料、柔らかい布材料、柔らかい合金鎖部材の一つである請求項１〜４の何れかに記載の眼鏡システム。
【請求項６】
吊り下げ部材及びそれと結合された錘部材がイアリング品のような形のものである請求項１〜５の何れかに記載の眼鏡システム。
【請求項７】
耳の後方にある距離で延びている側面アーム先端で使用者の耳と接触するように配置された側面アームでもって顔面上のフレームとレンズ構造を支持している側面アームを具備している眼鏡であって、
側面アーム先端末端に吊り下げ部材の第一末端を取り付けることと、そのような態様において吊り下げ部材は側面アーム上を自由に動くことができるようになっていて、使用者の顔面上に眼鏡の重さで誘導された圧力の影響を減少させるように、使用者の顔面上で上方にフレームとレンズを旋回させるように前記側面アームで錘が梃子の力を与えるために各々の吊り下げ部材の第二反対側末端に錘部材を加えることを特徴とする眼鏡使用中眼鏡のレンズとフレームの構造によって眼鏡使用者の顔面に与えられる圧力を減少させるための方法。
【請求項８】
錘部材の各々が、約0.2オンスから約5オンスの範囲にあるものの一つである質量重量をもっている請求項７に記載の方法。
【請求項９】
吊り下げ部材が可撓性構造部材である請求項７または８に記載の方法。
【請求項１０】
互いに結合された各吊り下げ部材と錘部材がイアリング品として形作られた請求項７〜９の何れかに記載の方法。
【請求項１１】
各々の吊り下げ部材の先端末端が結合部材によって結合されていて、結合部材が可撓性である請求項７〜１０の何れかに記載の方法。
【請求項１２】
レンズフレームと、
前記フレーム中の一対のレンズと、
前記レンズフレームの向かいあう末端の各々の第一末端に取り付けられた一対の側面アームであって、前記側面アームは使用者の耳の上と傍を通って後方へある距離延びているものからなることを特徴とする眼鏡部材と、
前記側面アームの各々の向かい合う第二末端にその第一末端で結合された各々の伸びた吊り下げ部材で、前記吊り下げ部材の各々の第二末端に結合された各々の錘部材で、眼鏡使用者の顔面領域に与えられる圧力の影響を減少させている使用者の顔面上で、上方にフレームとレンズを旋回させるようにしている錘部材であることを特徴とする一対の錘部材とから、構成されることを特徴とする眼鏡組み立て品。
【請求項１３】
錘部材の各々が、約0.2オンスから約5オンスの範囲にあるものの一つである質量重量を有している請求項１２に記載の眼鏡組み立て品。
【請求項１４】
吊り下げ部材の第一末端が、吊り下げ部材が自由に動くことができるようにするスイングジョイントを備えた前記側面アームの第二末端に結合されて、それによって結合された錘部材が前記側面アームと係合している請求項１２または１３に記載の眼鏡組み立て品。
【請求項１５】
前記吊り下げ部材が可撓性構造部材である請求項１２〜１４の何れかに記載の眼鏡組み立て品。
【請求項１６】
吊り下げ部材が、紐材料、プラスティック材料、弾性材料、皮材料、柔らかい布材料、柔らかい合金鎖部材の一つである請求項１２〜１５の何れかに記載の眼鏡組み立て品。
【請求項１７】
吊り下げ部材及びそれと結合された錘部材がイアリング品のような形のものである請求項１２〜１６の何れかに記載の眼鏡組み立て品。
【請求項１８】
各々の吊り下げ部材の先端末端が結合部材によって結合されていて、結合部材が可撓性である請求項１２〜１７の何れかに記載の眼鏡組み立て品。
【発明の詳細な説明】
【技術分野】
【０００１】
本発明は、眼鏡使用者の快適さを強化するためのシステムと方法に関する。
本発明の申請は、米国暫定特許申請60/954,976から優先権を主張する請求に関するものであって全ての要素は参照によって取り入れられている。
【背景技術】
【０００２】
眼鏡使用中の使用者の顔面、こめかみ、鼻や耳への圧力を緩和すると同時に使用者の頭部における眼鏡の適切な位置決めを容易にして維持するためのシステムと方法を提供する。さらに、本発明は、側面アームの後方末端に取り付け可能な、吊り下げられた平衡錘部材を備える可撓性側面アームを有する眼鏡を提供する。平衡錘部材は、重力によって使用者の頭部から眼鏡が脱落しがちとなる使用者が頭部を下方に傾けたような場合に、使用者の頭部に眼鏡をしっかりとさせる機能を提供する。使用者の頭部が水平にある場合には、平衡錘は、顔面皮膚、鼻、耳、こめかみへの圧力を緩和するために眼鏡の前部を上方に回転させるようにする。
【０００３】
関連技術は、矯正するために処方箋を必要とするような近視、遠視、乱視などの視力に問題のある人を含める。同様に、発明は、処方箋の有無に関わらず重いあるいは煩わしい眼鏡を使用する人に関する。
【０００４】
年齢とともに、基礎的な生理的な衰えの結果、処方箋を必要とする眼鏡の必要性が増大する。不変的に、50〜60歳以上の年齢の誰もが読書用眼鏡あるいは他の矯正手段を必要とする。処方"量" や"度数"が増大するので、レンズを通過する必要な屈折角度が大きくなり、使用されるレンズはより厚く、より重いものになる。
【０００５】
通常、大多数の人にとって、視力を矯正をするためには眼鏡以外に他の実行可能な選択肢がないことが認知されている。
【０００６】
最新の技術によって、高密度のレンズ素材に置き換えられることで眼鏡の重さはますます軽くなっている一方、眼鏡の基本構造は長い期間本質的には変わっていない。すなわち、通常の眼鏡は、フレーム中の（ガラスあるいはプラスティックできている）レンズ、使用者にフレームを取り付けるための側面アームを有するフレームと鼻あてより構成されている。側面アームと鼻あては、眼鏡を顔面の適切な位置に保つものであるが、そうすることで、顔面、耳、鼻に不快な圧力を与える。眼鏡使用者は、また、鼻あるいは眉間に、美容上好ましくない跡が身体の皮膚の上に残ることを経験するかもしれない。
【０００７】
そのようなずれを防止するために、側面アームに滑り止め表面を付加したものを含めていくつかの解決方法が提案されていているが、現在まですべてのものが目的を達成していない。上のものは、使用者の顔面に摩擦を増し、不快なものとなっている。例えば、それぞれの内容は、いずれもここに取り込んであるビッドグッド（米国特許3,768,892）とコレセツナー（米国特許4,161,628）では、改良の試みは残念ながら不成功に終わっている。特許892では、末端部分あるいは、側面アームの主長部に浅い角度で曲げられた側面アームの末端部分フック部材に錘を填め込むものである。このような配置では、下方に頭部を少し傾けた場合に耳に眼鏡の保持を提供するために有効であっても、それ以外の場合にはそうではない。特許892の別の実施例では、フック部材に取り付け可能な、チャンネル部材内に、錘を埋め込んでいる。しかし、これでは、フック部材の浅さと、使用者が頭部を傾けた場合に耳の上を眼鏡の滑る可能性の問題を矯正していない。特許628では、側面アームの固定部分として側面アームのフック部材の先端末端に錘を填め込んでいる。もし、使用者が頭部を傾けた場合の眼鏡の滑りを未然に防止することにおいて、錘が不十分と分かれば、側面アームは交換される必要があり、全く採用されるようなものではない。
【０００８】
異なる使用者の頭部の位置と身体的な活動に適応すると同時に使用者に快適さを強化する解決において従来技術には何らの正しい認識が存在しないことは明らかである。
【発明の開示】
【発明が解決しようとする課題】
【０００９】
本発明の目的の一つは、上記課題の少なくとも一つを解決する眼鏡を提供することである。より、具体的には、本発明は、読書、筆記、手作業など、使用者のどのような行動においても、鼻、耳、こめかみ部分を含む使用者の顔面部分への下方重力を減じるあるいは最小化する眼鏡を提供することである。
【００１０】
別の目的は、使用者が頭部を下方に傾けた場合にも眼鏡の滑り外れの防止を保証するために機能する平衡錘を填め込んだ眼鏡を提供することである。
【００１１】
もう一つ別の目的は、側面アームの構造を変更することなく平衡錘の交換を可能にすることである。
【課題を解決するための手段】
【００１２】
上記の目的を達成するため、請求項１に記載の眼鏡システムは、レンズフレームと、前記フレーム中の一対のレンズと、前記レンズフレームの反対側末端のそれぞれの第一末端で取り付けられた一対の側面アームで、前記側面アームが使用者の耳の上と傍を過ぎるように後方に、ある距離で延びているものと、一対の錘部材とから構成されるものであって、前記側面アームの各々の反対第二末端にその第一末端で結合されて伸びた吊り下げ部材、前記吊り下げ部材の各々の第二末端に結合されている各々の錘部材、それによって使用者の顔面上に眼鏡の重さで誘導された圧力の影響を減少させるように、使用者の顔面上で上方にフレームとレンズを旋回させるような錘部材からなることを特徴としている。
【００１３】
請求項２に記載の眼鏡システムは、請求項１の眼鏡システムであって、錘部材の各々が、約0.2オンスから約5オンスの範囲にあるものの一つである質量重量をもっていることを特徴としている。
【００１４】
請求項３に記載の眼鏡システムは、請求項１または２の眼鏡システムであって、吊り下げ部材の第一末端が、吊り下げ部材が自由に動くことができるようにするスイングジョイントを備えた前記側面アームの第二末端に結合されて、それによって結合された錘部材が前記側面アームと係合していることを特徴としている。
【００１５】
請求項４に記載の眼鏡システムは、請求項１〜３の眼鏡システムであって、前記吊り下げ部材が可撓性構造部材であることを特徴としている。
【００１６】
請求項５に記載の眼鏡システムは、請求項１〜４の眼鏡システムであって、吊り下げ部材が、紐材料、プラスティック材料、弾性材料、皮材料、柔らかい布材料、柔らかい合金鎖部材の一つであることを特徴としている。
【００１７】
請求項６に記載の眼鏡システムは、請求項１〜５の眼鏡システムであって、吊り下げ部材及びそれと結合された錘部材がイアリング品のような形のものであることを特徴としている。
【００１８】
請求項７に記載の方法は、耳の後方にある距離で延びている側面アーム先端で使用者の耳と接触するように配置された側面アームでもって顔面上のフレームとレンズ構造を支持している側面アームを具備している眼鏡であって、側面アーム先端末端に吊り下げ部材の第一末端を取り付けることと、そのような態様において吊り下げ部材は側面アーム上を自由に動くことができるようになっていて、使用者の顔面上に眼鏡の重さで誘導された圧力の影響を減少させるように、使用者の顔面上で上方にフレームとレンズを旋回させるように前記側面アームで錘が梃子の力を与えるために各々の吊り下げ部材の第二反対側末端に錘部材を加えることを特徴とする眼鏡使用中眼鏡のレンズとフレームの構造によって眼鏡使用者の顔面に与えられる圧力を減少させることを特徴としている。
【００１９】
請求項８に記載の方法は、請求項７の方法であって、錘部材の各々が、約0.2オンスから約5オンスの範囲にあるものの一つである質量重量をもっていることを特徴としている。
【００２０】
請求項９に記載の方法は、請求項７または８の方法であって、吊り下げ部材が可撓性構造部材であることを特徴としている。
【００２１】
請求項１０に記載の方法は、請求項７〜９の方法であって、互いに結合された各吊り下げ部材と錘部材がイアリング品として形作られたことを特徴としている。
【００２２】
請求項１１に記載の方法は、請求項７〜１０の方法であって、各々の吊り下げ部材の先端末端が結合部材によって結合されていて、結合部材が可撓性であることを特徴としている。
【００２３】
請求項１２に記載の眼鏡組み立て品は、レンズフレームと、前記フレーム中の一対のレンズと、前記レンズフレームの向かいあう末端の各々の第一末端に取り付けられた一対の側面アームであって、前記側面アームは使用者の耳の上と傍を通って後方へある距離延びているものからなることを特徴とする眼鏡部材と、前記側面アームの各々の向かい合う第二末端にその第一末端で結合された各々の伸びた吊り下げ部材で、前記吊り下げ部材の各々の第二末端に結合された各々の錘部材で、眼鏡使用者の顔面領域に与えられる圧力の影響を減少させている使用者の顔面上で、上方にフレームとレンズを旋回させるようにしている錘部材であることを特徴とする一対の錘部材とから構成されることを特徴としている。
【００２４】
請求項１３に記載の眼鏡組み立て品は、請求項１２の眼鏡組み立て品であって、錘部材の各々が、約0.2オンスから約5オンスの範囲にあるものの一つである質量重量を有していることを特徴としている。
【００２５】
請求項１４に記載の眼鏡組み立て品は、請求項１２または１３の眼鏡組み立て品であって、吊り下げ部材の第一末端が、吊り下げ部材が自由に動くことができるようにするスイングジョイントを備えた前記側面アームの第二末端に結合されて、それによって結合された錘部材が前記側面アームと係合していることを特徴としている。
【００２６】
請求項１５に記載の眼鏡組み立て品は、請求項１２〜１４の眼鏡組み立て品であって、前記吊り下げ部材が可撓性構造部材であることを特徴としている。
【００２７】
請求項１６に記載の眼鏡組み立て品は、請求項１２〜１５の眼鏡組み立て品であって、吊り下げ部材が、紐材料、プラスティック材料、弾性材料、皮材料、柔らかい布材料、柔らかい合金鎖部材の一つであることを特徴としている。
【００２８】
請求項１７に記載の眼鏡組み立て品は、請求項１２〜１６の眼鏡組み立て品であって、吊り下げ部材及びそれと結合された錘部材がイアリング品のような形のものであることを特徴としている。
【００２９】
請求項１８に記載の眼鏡組み立て品は、請求項１２〜１７の眼鏡組み立て品であって、各々の吊り下げ部材の先端末端が結合部材によって結合されていて、結合部材が可撓性であることを特徴としている。
【発明の効果】
【００３０】
本発明に従えば、眼鏡の組み立て品あるいはシステムが、こめかみのより下部を過ぎて使用者の耳の上の支持接触部に延びる側面アームであって、レンズを支えるブリッジあるいはフレームであるものを備えて提供される。錘は、例えば、好ましくは、耳の下、ある距離のところに錘を支持するための可撓性吊り下げ部材でもって、それぞれのアームの後方先端末端に取り外し可能に結合できるものである。錘は、使用者の顔の部分への眼鏡による圧力を減少あるいは消滅させつつ上方にフレームとレンズを旋回させるように側面アームに梃子の力を生み出すものである。錘は、例えば、選択された形状の単一部材あるいは、いろいろな形状の錘部材の複数からなる部材として填め込まれてもよい。例えば、形状は、球状、シリンダー状、先端が切り取られたピラミッド状、トーラス状のものであっても良い。先に述べたように、形状選択の利点は、錘部材がイアリング片としても役立つことである。
【００３１】
使用者が頭部を下方に傾ける場合、平衡錘は、重力の作用と釣り合いをとることによって眼鏡が使用者の顔面から落ちないように眼鏡を保持するように作用する。さらに、吊り下げ式で可撓性の錘は、使用者の顔面に眼鏡を適切にしっかりと保持するようにスライドアンカーとして、使用者の耳の後ろに入れ子にし、付加的に作用する。その場合、側面アーム、吊り下げ部材と錘は、使用者の頭部の皮膚に接触して、これらの接触は、眼鏡の位置をしっかりと保持する力に加わる。
【００３２】
本発明は、同様に、眼鏡構造を備えて接触することで顔面や頭部に与えられた眼鏡の重さによる圧力を減らすための方法を提供する。
【００３３】
本発明の上記と他の目的、特徴と利点は、付帯図とともに実行される以下の記載から読み取られることは明らかであって、参照番号などは同じ要素を規定している。
【発明を実施するための最良の形態】
【００３４】
付帯図で説明されている本発明のいくつかの実施例を詳細に参照する。可能な限り、同じあるいは類似の部品や段階を参照するために図面と記述において、同じあるいは類似の参照番号が使われている。図は、単純化された様式であって、正確なスケールを表していない。単に、便宜さと明確化の目的のために、方向を示す用語、例えば、頂部、低部、上、下、上方、上側、下方などが図に関して使用される。これらと類似の方向を示す用語は、いかなる態様であっても本発明の範囲を制限するものと解釈されるものではない。屈折形態素をもつ単語の「結合」、「連結」や類似の単語は、直接や近接結合を意味する必要はないだけでなく、仲介要素やデバイスを通じての結合を含む。
【００３５】
図１の実施例を参照して、眼鏡10は、フレーム12に取り付けられた一対のレンズ11を有するための通常の構造のものであって、フレームは、側面アーム14の前面第一末端の二つの末端で結合している。側面アーム14の反対側の後方末端15は、平衡錘17を取り付けるためのものである。
【００３６】
平衡錘17は、単一部材あるいは、複数の部材から構成されても良く、複数部材は、少なくとも、上記他の部材と異なるサイズ（そして、すなわち異なる重量）のそれぞれのものであっても良い。いろいろなサイズの錘部材を使用することによって、いろいろなサイズの眼鏡の重量に釣り合うために必要な平衡錘の値を設定することが容易となる。このことは、眼鏡の構造によって使用者の顔面に与える望ましくないあるいは不快な圧力を緩和するためのものである。
【００３７】
平衡錘17は、複数の球形部材あるいはビーズから構成されているように描かれているが、何ら平衡錘のデザインを制限するものではなく、規則的あるいは不規則な形で形作られても良く、可撓性のある、あるいは、個々の固定物・固体のものであっても良く、磁気の使用が通常認められているような医学的に利点を促進するための磁石であっても良い。ビーズは、全体で、眼鏡の前部主構造の眼鏡の重量に釣り合う必要がある。平衡錘17は、約0.1オンスから5オンスの範囲、より好ましくは0.10から2オンスの範囲にある平衡錘全体の重量を提供するサイズと材料であって、そこでの全体とは、例えば、一つの平衡錘あるいは複数のビーズの平衡錘における全てのビーズの合計重量（一つあるいは複数重量物の総計）である。通常の図２の頭部水平方向にあって使用者上に位置決めされた眼鏡の場合に、梃子の支点すなわち、耳に乗っている側面アームの場所から側面アームの前方末端まで、前方向に延びている側面アーム14の長さによって増える前方主要部分の重量が、使用者の顔面と鼻に圧力を与えるだけでなく、場合によっては、顔面に傷をもたらす。
【００３８】
支点の反対側に位置し、かかる目的のために計量された平衡錘17は、眼鏡の主要前方部分を上方向に上げるような力を生み出す結果、使用者の顔面に前方主要部分によって与えられた圧力を緩和するか、度合いを減少させることで、顔面の不快さは許容レベルまで和らげられる。
【００３９】
平衡錘17は、側面アーム14の後方の反対側末端から吊り下げ部材16で吊り下げることで15で取り付けられている。吊り下げ部材16は、平衡錘17がスイング結合手段15から自由にスイングできるために、可撓性の構造が好ましい。
【００４０】
平衡錘17は、鉛のような金属、石、合成材料を含むいろいろな種類の材料のいずれから作られても良い。吊り下げ部材16は、皮、柔らかい材料を含む材料あるいは使用者の耳にかかる部材が優しく、滑らかな結合を提供できるような可撓性を有する柔らかい合金製の装飾的鎖としても良い。平衡錘は、同様に、装飾的効果を表すような構造であっても良い。さらに、吊り下げ部材と平衡錘は関係して、イアリング品のようなファッション性のあるものであっても良い。
【００４１】
使用者が、図３のように読んだり、書いたり、手作業をする場合、頭部が下方向に傾く時、平衡錘と吊り下げ部材は、もし防止されなければ顔面上の適当で必要な位置から眼鏡が滑り落ちるようにする重力の影響に打ち勝つように眼鏡に力を及ぼす。これは、平衡錘の効果の結果だけでなく、吊り下げ部材16の可撓性の入れ子にしていることと、アンカー部材の構造において耳の背部に少なくとも平衡錘17の一部があることによるものである。
【００４２】
図４は、眼鏡側面アーム14の後方末端に吊り下げ部材16を取り外し可能なように取り付けた態様の実施例を示しているが、錘あるいは吊り下げ部材16を取り除いたり、交換することができるように取り付ける機構に何ら限定されるものではない。そのような実施例に示されるように、吊り下げ部材の上部末端はバネコイルとして形作られていて、側面アーム14の後方末端で開口部15を通過するコイル上部でループ状で延びている。適当なデザイン（図では、下方に延びるコイルと主要平衡錘付帯物との間の波線）の平衡錘に結合されるよう下方に延びているコイルから最下部の線が続いている。バネコイルの配置は、平衡錘と吊り下げ部材の可撓性と曲げ性の組み合わせに加え、イアリングのような形が作られる場合、これらの要素の外見に役立つ。
【００４３】
レンズとレンズフレームとの構造によって眼鏡使用者の顔面に与えられる圧力を減らすための方法に従えば、吊り下げ部材16の第一末端は、耳の背面で後方に距離を延ばしている眼鏡の側面アーム先端に取り付けられている。錘部材17は、それから、吊り下げ部材の第二の向かい合う末端に取り付けられている。錘と吊り下げ部材は、それによって使用者の顔面にもたらされた眼鏡の重さによる圧力を消滅させるために使用者の顔面上レンズとフレームを上方向に旋回させるように側面アームの先端で梃子で動く力を与えるように働く。
【００４４】
請求項において、手段あるいは段階プラス機能の条項は、列挙された機能を実行するためとして記述され、提案された構造をカバーしようとするものであって、単に構造的等価物だけでなく、等価的構造物をもカバーするものである。したがって、例えば、釘、ネジ、ボルトは、釘は木とシリンダー状の表面との間の摩擦に依存し、ネジの螺旋表面が木部を確実に結合するもので、ボルトの頭とナットは木の反対側を圧迫するものであり、木材を締め付けるという状況においては、釘、ネジ、ボルトは、当業者によって容易に等価的構造物であると理解される。
【００４５】
付帯する図を参照することをもって本発明の最良の実施形態の少なくとも一つが記載されているので、本発明がそれらの正確な実施例に限定されるものでないと理解され、いろいろな変化、修飾と適用が、付帯請求項に規定されたように本発明の範囲と精神から逸脱することなしに当業者によって達成される。
【図面の簡単な説明】
【００４６】
【図１】眼鏡側面アームの末端の後方先端に取り付けられた取り外し可能な可撓性平衡錘を填め込んである本発明に従って構築された眼鏡の透視図である。
【図２】頭部が垂直水平である使用者頭部の眼鏡の位置の透視図である。
【図３】平衡錘と吊り下げ部材が適当な位置で顔面に眼鏡を保持しているアンカーを規定するために、平衡錘と吊り下げ部材が耳の背面で接触する構造をとっている状態で、使用者の頭部が下方に傾いている以外、図２と同様の透視図である。
【図４】側面アームに吊り下げ部材を取り付けていることと、付加的な錘、結合部、あるいは付加的部材が後続して付けられるようになっている吊り下げ部材の切れ目に留意している態様の実施例の部分側面視図である。
【符号の説明】
【００４７】
10  眼鏡
11  レンズ
12  フレーム
14  側面アーム
15  側面アームの反対側の後方末端
17  平衡錘
【図１】
2009042756.tif 000003
【図２】
2009042756.tif 000004
【図３】
2009042756.tif 000005
【図４】
2009042756.tif 000006